Podtech/llm-jp-corpus-v4-ja_patent huggingface dataset:
(57)【要約】      （修正有）【課題】落下防止柵の露出部分の安全性の向上と、強度・耐久性に優れた落下防止柵を提供する。【解決手段】鉄を材料としたパイプ形状のものに、円周と垂直方向に５ミリ程度の溝を入れ、その溝にエキスパンドメタル又は丸棒を格子状にしたメッシュをはめ込み溶接する。又は、最初から溝のある鉄製のパイプを使用することによって、溝部分にエキスパンドメタル又はメッシュをはめ込んで溶接し、溶接箇所の大幅な削減とより高い溶接強度を得る。【選択図】図４
0003145368.tif 000002
【実用新案登録請求の範囲】
【請求項１】
鉄を材料としたパイプ形状のものに、円周と垂直方向に５ミリ程度の溝を入れ、その溝にエキスパンドメタル又は丸棒を格子状にしたメッシュをはめ込み溶接した落下防止柵。
【考案の詳細な説明】
【技術分野】
【０００１】  本考案は、鉄からなるＣパイプ使用落下防止柵に関する。
【背景技術】
【０００２】  エキスパンドメタル又はメッシュを利用した柵部分の上部と下部に、安全のため角のない鉄製の丸パイプ、又は丸棒を溶接する工法は現在も利用されている。
【考案の開示】
【考案が解決しようとする課題】
【０００３】  しかし、柵に鉄製のパイプ又は丸棒を溶接する工法は、溶接箇所が多くなり、加工時間が多大にかかってしまう。
また、溶接部分の強度がそれほど強くはならない。
【課題を解決するための手段】
【０００４】  本考案は、最初から溝のある鉄製のパイプを使用することによって、溝部分にエキスパンドメタル又はメッシュをはめ込んで溶接し、溶接箇所の大幅な削減とより高い溶接強度を得ることを実現し、上記課題を解決するものである。
【考案の効果】
【０００５】  本考案に係る落下防止柵は、エキスパンドメタル又はメッシュの端部分を鉄製のパイプで覆うことによって安全性を確保でき、さらに、はめ込んで溶接することによって強度・耐久性も増し、実用性にも優れたものである。
【考案を実施するための最良の形態】
【０００６】  図１に示すように、鉄製のパイプに溝を入れる。
または、最初から溝のある鉄製パイプを用意する。【０００７】  図２に示すようなエキスパンドメタル、又は図３に示すようなメッシュを用意し、図４に示すように組み付け、溶接する。
【図面の簡単な説明】
【０００８】
【図１】  本考案に係る溝のある鉄製パイプの立体図である。
【図２】  本考案に係る柵部分となるエキスパンドメタルの正面図である。
【図３】  本考案に係る柵部分となるメッシュの正面図である。
【図４】  本考案に係る溝のある鉄製パイプとメッシュを組み付けた場合の概略図である。
【図１】
0003145368.tif 000003
【図２】
0003145368.tif 000004
【図３】
0003145368.tif 000005
【図４】
0003145368.tif 000006
(57)【要約】      （修正有）【課題】押し出し口に向かって送り出した練歯磨剤が押し出し口手前の出しにくいところであっても容易に出し易くし、練歯磨剤の使い残しを減量化した練歯磨剤送り出しチューブクリップを提供する。【解決手段】角棒部１ａ、平面型半円形部１ｃで構成されている練歯磨剤送り出しチューブクリップで、チューブ３ａ，３ｂ練歯磨剤の残量によって適宜箇所で半円形部分を押し出し口方向にして留め具２ａを用いて留め、潰しにくい平型半円形部分で練歯磨剤送り出し導引部３ｂの練歯磨剤も容易に押し出し口３ｃに送り出せるようにすることにより、練歯磨剤使い残しの減量化となる。【選択図】図１
0003145366.tif 000002
【実用新案登録請求の範囲】
【請求項１】
チューブ入り練歯磨剤を使い切るために搾り出した練歯磨剤の逆戻りを防止する挟み式角棒型クリップで、角棒型クリップに平型半円形が付いていてチューブ容器内の練歯磨剤を残さず押し出し口まで送り出していくことを特徴とする練歯磨剤を使い切ることが可能な練歯磨剤送り出しチューブクリップ。
【考案の詳細な説明】
【技術分野】
【０００１】  練歯磨剤チューブの押し出し口付近に残ってしまう練歯磨剤をできるだけ残らないようにするため、挟み式角棒型クリップに平型半円形部分を付け、練歯磨剤を戻らないようにするだけでなく、半円形部分で押し出し口付近までチューブ容器を潰しながら送り出していくことができるクリップに関するものである。
【技術背景】
【０００２】  よくある練歯磨剤クリップは、棒状のもので練歯磨剤が戻らないようにして押し出す仕組みになっているが、押し出し口付近には残ってしまうので、最後は手で押し出すことになる。チューブは押し出し口付近が他の部分に比べて潰しにくく押し出すのには力を要する状況である。
【考案の開示】
【考案が解決しようとする課題】
【０００３】  練歯磨剤チューブの押し出し口に向かって送り出した練歯磨剤の戻りを防ぎ、他の部分に比べて潰しにくく、押し出し口付近に残ってしまった練歯磨剤を押し出し口までスムーズに送り出し容易に押し出せるよう、前述の欠点を解決しようとするものである。
【課題を解決するための手段】
【０００４】  練歯磨剤チューブの押し出し口付近に残ってしまう練歯磨剤を、角棒型２本で構成されているクリップの間に若干の隙間を作ってスライドさせ易くし、平型半円形部分を付けた挟み式の角棒型クリップで、チューブを挟み押し潰しながら押し出し口に向かってスライドさせ、練歯磨剤が戻ることを防ぎ送り出すことができることによって解決している。
【考案の効果】
【０００５】  挟み式の角棒型クリップに平型半円形部分を付けたことと、練歯磨剤が戻ることを防ぎ、角棒型２本で構成されているクリップの間に若干の隙間を作ってスライドさせ易くし、練歯磨剤チューブの練歯磨剤送り出し導引部まで容易に押し潰し、押し出し口付近まで送り出していくことが可能となり、使い易く練歯磨剤の使い残しの減量化に役立つ。
【考案を実施するための最良の形態】
【０００６】  角棒型２本で構成されているクリップの間に若干の隙間を作ってスライドさせ易くし、潰しにくい箇所である練歯磨剤送り出し導引部まで容易に押し潰し、練歯磨剤を押し出し口付近まで送り出すことができるよう、角棒型クリップに平型半円形部分をつける。
【実施例】
【０００７】  チューブ３ａ３ｂの残量による適宜箇所を留め具２ａでクリップ１ａ１ｂを留めて挟み、練歯磨剤の残量に応じて押し出し口に向かってスライドさせ、平型半円形付き挟み式角棒型クリップの平型半円形部分１ｃを押し出し口３ｃ近くまでチューブを押し潰しながら進ませていくことによって、練歯磨剤を送り出すことができる。
【図面の簡単な説明】
【０００８】
【図１】本考案の練歯磨剤送り出しチューブクリップの一実施例を示す側面図である。
【図２】本考案の練歯磨剤送り出しチューブクリップの一実施例を示す上面図である。
【図３】本クリップの詳細図である。
【図４】本クリップの側面図である。
【図５】本クリップの留め具詳細図である。
【符号の説明】
【０００９】１ａ  角棒部
１ｂ  角棒部
１ｃ  平面型半円形部
２ａ  クリップ留め具（使用時）
２ｂ  クリップ留め具（不使用時）
３ａ  チューブ本体部（練歯磨剤滞留部）
３ｂ  チューブ本体部（練歯磨剤送り出し導引部）
３ｃ  チューブ押し出し口部
【図１】
0003145366.tif 000003
【図２】
0003145366.tif 000004
【図３】
0003145366.tif 000005
【図４】
0003145366.tif 000006
【図５】
0003145366.tif 000007
(57)【要約】      （修正有）【課題】熟練や強い力がなくても普通に引くだけで草が削れる斜刃削り鍬を提供する。【解決手段】柄に対する刃の水平角度を斜めにすることにより、真っ直ぐに柄を引いてもおのずから刃は斜めに当たっているので草の根元を、理にかなった切り方で、楽々と削り取ってしまう。作業が非常に速く、出来上がりも奇麗である。また、角度の調節ができるようにして、一層便利なものとした。【選択図】図２
0003145361.tif 000002
【実用新案登録請求の範囲】
【請求項１】
雑草を削る鍬の刃を、その柄に対して平面上（左右の方向を）少し、斜めに取り付けた鍬。
【請求項２】
刃の向き（左右の角度）を自由に変更して固定することができる、請求項１に記載の鍬。
【考案の詳細な説明】
【技術分野】
【０００１】
刃の左右の向きを自由に変更して、固定できる削り鍬に関するものである
【背景技術】
【０００２】
柄にたいする、刃の左右の向きが直角に固定されている従来の鍬は草を削るのに、強い力を必要とし、鍬の刃の向きを斜めに滑らすように使うことによって、ある程度の効果は得られたが熟練と強い力を要し、一般向きではなかった。
【考案の開示】
【考案が解決しようとする課題】
【０００３】
熟練や強い力がなくても普通に引くだけの使い方で草が削れる鍬でなければならない。
【課題を解決するための手段】
【０００４】
柄に対する刃の水平の角度を直角とせず、斜めに取り付けることにより鍬自体を真っ直ぐ手前に引いても、対象物には刃が自ずから斜めに当たり、滑らしながら切ってゆく状態となる、
【考案の効果】
【０００５】
刃は対象物に常に斜めに当たっており、手前に引くだけで、、熟練の料理人の包丁の使い方と同じ原理で草の根元を斜めに、斜めにと切ることとなり労少なく、熟練者を遥かに超える効果を上げることができる。
【考案を実施するための最良の形態】
【０００６】
状況に応じて、好みの角度に変更し固定できるようにして安全且つ、効率よく使用できるようにしている，地形、地質、草の状況に応じて角度を変更できるが、２０度前後に固定していても、十分な効果が得られる。
【実施例】
【０００７】
よく切れているので、一回通すだけで削り残しは殆ど無いので、能率がよく誰でも早く、奇麗な作業ができる。
【０００８】
柄の軸線に対する刃の左右の角度というのは図４のａのことではなくて図２におけるｂの角度、すなわち同図ｄとｅの交わる水平角のことであるである。
【０００９】
刃の頭の凹凸と柄の穴の内部の凹凸は一致していて角度が固定できる。
【図面の簡単な説明】
【００１０】
【図１】刃を斜めしにている状態の鍬の全体図
【図２】平面図（刃を斜めにしている状態）
【図３】側面図
【図４】柄の穴に差し込む刃の頭（縦に切り込んだ凸凹あり）
【図５】柄と刃を固定するネジ
【図６】柄の突端の穴
【図７】図６の穴の内部（縦に切り込んだ凸凹あり）
【符号の説明】
【００１１】
１  柄    
２  刃
３  柄の突端の穴（内部側面に縦に切り込んだ凹凸あり）
４  柄の穴に差し込む刃の頭（縦に切り込んだ凹凸あり）
５  柄と刃を固定するネジ
６  柄の穴の内部
ａ  側面から見た柄の軸線に対する刃の上下の角度
ｂ  ｃに直交するｄとｅの交わる角度
ｃ  柄の軸線
ｄ  ｃに直行する線
ｅ  刃の軸線
【図１】
0003145361.tif 000003
【図２】
0003145361.tif 000004
【図３】
0003145361.tif 000005
【図４】
0003145361.tif 000006
【図５】
0003145361.tif 000007
【図６】
0003145361.tif 000008
【図７】
0003145361.tif 000009
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
鍬の刃を、その柄に対して直角でなく、左右の向きを変えて斜めに取り付けた鍬。
【請求項２】
鍬の柄に対する、鍬の刃の左右の向きの角度を、自由に変更して固定することができる、請求項１に記載の鍬。
(57)【要約】      （修正有）【課題】こまごまとしたキッチン用品の水切りを便利にするために、ボックス型のステンレス製等の水切りカゴに閉じ具が付いた蓋を取り付け、ボックス内部には取り外しが可能な仕切り板と網棚を付け用品類の重なりを防止し、吊フックで吊るすか、または平置きで場所を選ばず乾燥できる水切カゴを提供する。【解決手段】こまごまとしたキッチン用品類を閉じ金具２の付いたステンレス製等の蓋付きボックス１ｂ型の水きりカゴにまとめられようにし、ボックス内部には取り外し可能な仕切り板と網棚を設け、蓋中心部とボックス本体１ｂ中心部に吊フック５を付ける。【選択図】図２
0003145367.tif 000002
【実用新案登録請求の範囲】
【請求項１】
こまごまとしたキッチン用品をひとまとめにして何処でも水を切ることができ、蓋付きボックス型で取り外し可能なボックス内の仕切り板と網棚により用品類の重なりを防ぐことを特徴とする閉じ具を付けた蓋付きボックス型こまごまとしたキッチン用品用ステンレス製等水切りカゴ。
【考案の詳細な説明】
【技術分野】
【０００１】  本考案は、閉じ具が付いた蓋付きボックス型でステンレス製等の水切りカゴで、カゴ内にはこまごまとした用品類の重なり防止となる仕切り板と網棚をつけた水切りカゴに関するものである。
【技術背景】
【０００２】  キッチンで使用するこまごまとした用品類には、プラスティック製楊枝、竹ひご、水筒用ゴムパッキン、お弁当用シリコンカップなどこまごまとしたものが多くあり、形や構造が複雑なものや水切れの悪い材質のものであることが多く、乾かすのには結構な時間を要する。水切りカゴに放置したままだと、次の作業の邪魔にもなり別の場所に移動しようとしても、完全に乾いていない物の移動先に苦慮することがある。また、皿や鍋等をふせて水切りするカゴの網や格子の隙間からは用品類が落ちることもある。
【考案の開示】
【考案が解決しようとする課題】
【０００３】  キッチンで使用するこまごまとした用品類を洗った後、形や構造が複雑で水切れの悪い材質のものも多く水が切れるまでに時間がかかり、作業の進行上、皿や鍋等をふせて水切りするカゴにずっと放置しておくことは邪魔であるため、別の場所を移動できるようにすることによって、皿や鍋等をふせて水切りするカゴを長時間占領することもなく即座の移動が可能となり、カゴの網や格子の隙間から用品類が落ちることも改善することが可能となり、前述の欠点を解決しようとするものである。
【課題を解決するための手段】
【０００４】  即座の移動を可能にするため、閉じ具が付いた蓋付きボックス型のステンレス製等水切りカゴにこまごまとしたキッチン用品をひとまとめにできるようにし、キッチン用品の重なりを防止するための取り外し可能な仕切り板や網棚を取り付け問題点を解決している。
【考案の効果】
【０００５】  こまごまとしたキッチン用品の水切りをするために移動させ放置できるよう、ボックス型でステンレス製等の水切りカゴに閉じ具が付いた蓋を取り付けることによって、皿や鍋等をふせて水切りするカゴを長時間占領したり、網目や格子の隙間から落ちるのを改善でき、仕切り板と網棚で用品の重なりを防止し、自然乾燥だけではなく、食器洗い機や食器乾燥機に入れても使用できるようになり、衛生面の強化や家事の効率化、円滑化を図ることができるようになる。
【考案を実施するための最良の形態】
【０００６】  こまごまとしたキッチン用品の水切りを便利にするために、ボックス型のステンレス製等の水切りカゴに閉じ具が付いた蓋を取り付け、ボックス内部には取り外しが可能な仕切り板と網棚を付け用品類の重なりを防止し、吊フックで吊るすか、または平置きで場所を選ばず乾燥できる。
【実施例】
【０００７】  こまごまとしたキッチン用品類を閉じ金具２の付いたステンレス製等の蓋１ａ付きボックス１ｂ型の水きりカゴ１ａ１ｂにまとめられようにし、ボックス内部には取り外し可能な仕切り板３と網棚４を設け、蓋１ａ中心部とボックス本体１ｂ中心部に吊フック５を付けた。【０００８】  閉じ具２の付いた蓋１ａ付きボックス１ｂ型のステンレス製等水切りカゴ１ａ１ｂに、取り外しや組み合わせにより使用可能な仕切り板３網棚４を取り付けることによって用品類の重なりを防止し、場所を問わず放置可能となり吊フック５を利用することによって吊るして乾燥させることも可能となる。【０００９】  キッチン用品の重なりを防止することによって、乾燥を妨げないようにすることができるので、食器洗い乾燥機や食器乾燥機に入れることも可能で、ひとまとめにしてボックス１ａ１ｂに収めることで水圧や風圧でカゴの隙間から落ちることがなく、取り出しも便利になる。
【図面の簡単な説明】
【００１０】
【図１】本考案の蓋付きボックス型細々としたキッチン用品用ステンレス製等水切りカゴの一実施例を示す上面図である。
【図２】本考案の蓋付きボックス型細々としたキッチン用品用ステンレス製等水切りカゴの一実例を示す側面図である。
【図３】本水きりカゴの一部仕切り板上面図である。
【図４】本水切りカゴの一部網棚上面図である。
【図５】本水切りカゴの一部内部詳細図である
【符号の説明】
【００１１】１ａ  蓋
１ｂ  ボックス本体
２    閉じ具
３    仕切り板
４    網棚
５    吊フック
【図１】
0003145367.tif 000003
【図２】
0003145367.tif 000004
【図３】
0003145367.tif 000005
【図４】
0003145367.tif 000006
【図５】
0003145367.tif 000007
(57)【要約】      （修正有）【課題】通常のリュックサックの機能を有した状態で、突然の通り魔等の刃物から身を守ることのできる防刀リュックサックを提供する。【解決手段】通常の布製のリュックサックの背当て布の内側に内部から操作できるポケット１を作成し、ポケットの中に防刀用として躯幹部をカバーできる大きさのアルミ製または硬質プラスチック製の板２を収納する。板がずれないように、また、脱着可能とするようにポケットの入り口にチャック３を設ける。通常のリュックサックとしての機能は損なわず、突然の通り魔等の襲撃に対して身を守るのに役立つ。【選択図】図２
0003145364.tif 000002
【実用新案登録請求の範囲】
【請求項１】
リュックサック本体背当て布内側にポケットを設け、ポケット内にアルミ製または硬質プラスチック製の板を挿入することにより、ナイフや小刀等を振り回す通り魔から身を守ることを可能としたところを特徴とする防刀リュックサック
【考案の詳細な説明】
【技術分野】
【０００１】  本考案は、内部にアルミ製または硬質プラスチック製の板を設置した、リュックサックに関するものである。
【背景技術】
【０００２】  通勤、通学、レジャーなどにおいてリュックサックを使用していても、刃物をもった通り魔に対しては、有効な防御方法がなかった。
【考案の開示】
【考案が解決しようとする課題】
【０００３】  従来のリュックサックでは、刃物を持った通り魔から身を守ることは困難である。従って、リュックサックに防刀機能を付加することにより、刃物から躯幹部を防御することを可能とし、前述の欠点を解決しようとするものである。
【課題を解決するための手段】
【０００４】  本考案は、リュックサック内に専用のポケットを設け、その中に軽量なアルミ製又は硬質プラスチック製の板を挿入することで防刀機能を付加し、刃物から躯幹部を防御することを可能とし、前述の欠点を解決している。
【考案の効果】
【０００５】  上述の様に、本考案は軽量な防刀用の板をリュックサック内に設けることにより、リュックサックとしての機能を損なわず、且つ、突然の通り魔の襲撃から身を守る盾として役立つ。
【考案の実施するための最良の形態】
【０００６】  躯幹部をカバーするサイズのアルミ製または硬質プラスチック製の板を作成し、背当て布の内側に内部から操作できる専用のポケットを設ける。その中に板を挿入して使用するが、板は脱着可能とし、使用中にずれないようにポケットの入り口にはチャックをつける。前方より通り魔が襲ってきた場合には、すばやくリュックサックを背部から胸部に抱えなおし、躯幹を保護することができる。
【実施例】
【０００７】  以下、添付図面に従って一実施例を説明する。通常のクッションの入った布製のリュックサックの背当て布４の内側に内部から操作できるポケット１を作成し、ポケットの入り口には中に挿入した防刀用の板がずれないようにチャック３を設ける。防刀用として躯幹部をカバーできる大きさのアルミ製または硬質プラスチック製の板２を用い、同ポケット内に挿入して使用する。リュックサックの開口部５は通常のチャックである。【０００９】  本考案は防刀用の板２の脱着が可能であり、一般のリュックサックとしても使用可能であり、その際には内部に設けたポケット１は物入れとしても使用可能である。また、前方より通り魔が襲ってきた際には、すばやくリュックサックを背部から胸部に抱えなおして躯幹部を保護することができる。
【図面の簡単な説明】
【００１０】
【図１】本考案を背当て布の方からみた一実施例である。
【図２】本リュックサックのＡＢでの切断面図である。
【符号の説明】
【００１１】  １  背当て布内側のポケット
２  アルミ製又は硬質プラスチック製の防刀用板
３  内側ポケット開口部のチャック
４  クッション入りの背当て布
５  リュックサック開口部のチャック
ＡＢ  図２で示した切断線
【図１】
0003145364.tif 000003
【図２】
0003145364.tif 000004
(57)【要約】      （修正有）【課題】既存共同住宅において、建物構造上、新たに給気用の壁穴を開けることが困難な場合でも新鮮な空気を室内に取り入れることのできる給気ユニットを提供する。【解決手段】常時換気の給気口に必要とされる機能を備えた、換気小窓取付型常時換気自然給気ユニットであり、手動シャッター、フィルター、過給気防止機能付きとすることで、建築基準法にも対応する。居室窓サッシに換気小窓さえあれば自然給気を行えるというものであり、常時換気設備は、市販の排気扇と組み合わせて使用することによって効果を発揮するものである。本考案を建築基準法対応とすることで、既存建物の大規模修繕など建物の構造事情が厳しい場合に大きく役立つ。【選択図】図１
0003145325.tif 000002
【実用新案登録請求の範囲】
【請求項１】
共同住宅等の窓サッシに附属されている換気小窓の窓ガラス等と交換して取り付ける常時換気設備用の換気小窓取付型常時換気自然給気ユニットを考案する。
【考案の詳細な説明】
【技術分野】
【０００１】  本考案は、換気小窓を利用した常時換気設備用の自然給気口に関するものである。
【背景技術】
【０００２】  シックハウスやカビ等による健康被害が社会問題化されている昨今、住宅における常時換気の必要性は新築建物だけではなく、既存の建築物であったとしても重要とされる換気設備である。
【考案の開示】
【考案が解決しようとする課題】
【０００３】  既存の建築物に常時換気設備を具備させるためには、排気扇を常時換気対応品に変更し、各居室には新鮮外気を取り入れる給気口が必要となる。しかしながら壁式ＲＣ造などの建築物の場合、新たに壁穴を開けることが出来ない場合が多い。この問題を解決するため、窓サッシに附属されている換気小窓の窓ガラス等と交換して取り付ける常時換気設備用の換気小窓取付型常時換気自然給気ユニットによって新鮮空気を室内に取り入れようとするものである。
【課題を解決するための手段】
【０００４】  本考案は、換気小窓取付型常時換気自然給気ユニットである。これは常時換気の給気口に必要とされる機能を備えたもので、手動シャッター、フィルター、過給気防止機能付きとすることで建築基準法にも対応できる。本来常時換気に使用するため常時開いた状態で使用するが、台風などの風雨時には手動シャッターを閉めることで、雨水の浸入を防ぐことができる。
【考案の効果】
【０００５】  上述のように、本考案は既存の換気小窓を利用した換気小窓取付型常時換気自然給気ユニットであり、市販の常時換気用排気扇と組み合わせて使用することによって効果を発揮するものである。これは新たな壁穴を開けることなく、居室窓サッシに換気小窓さえあれば自然給気を行えるものであり、ユニット内には手動シャッター、フィルター付きなどの建築基準法適合対応とすることで、既存建物の大規模修繕など建築確認申請を出す場合にも利用できる。
【考案を実施するための最良の形態】
【０００６】  材質はアクリル製又はアルミ製とし、アクリル製であれば採光性も期待出来ることと、フィルターの汚れも目視できる利点がある。アルミ製は強度に優れているため防犯性を高める場合に選択する。窓サッシは引き違いであるため、この換気小窓取付型常時換気自然給気ユニットは窓サッシ室内側に主要部品が構成されることになる。また、換気小窓本来の換気機能を残すために、既存窓ガラス等はユニット取付前と比較して１／３程度は開けられるものとする。
【実施例】
【０００７】  以下、添付図面に従って一実施例を説明する。図１は平面図、正面図、断面図である。
【産業上の利用可能性】
【０００８】  本考案の換気小窓取付型常時換気自然給気ユニットは、主に共同住宅を対象にしており、既存公共住宅のみならす既存民間マンション等の窓サッシに取り付け、常時換気用排気扇と組み合わせて使用することで常時換気設備を付加し、住宅内の空気環境の向上、居住空間の安心安全性能の向上及び財産価値の向上に役立つものであり、この考案は社会的にも注目を集めるものと考える。よってこの考案は、住宅の空気環境にも安心安全が最優先されるわが国の公共賃貸住宅において、常時換気設備を計画的に設置する場合は、相当数の生産が予想される。
【図面の簡単な説明】
【０００９】
【図１】本考案の換気小窓取付型常時換気自然給気ユニットの一実施例を示す図面である。
【図２】本考案の実施例を示す模型の参考写真である。
【符号の説明】
【００１０】１  換気小窓取付型常時換気自然給気ユニット本体
２  室内給気口（手動シャッター付）
３  室外給気口（防虫網付）
４  小窓ストッパー
５  スライドガラス重なり部
６  既存換気小窓ガラス
７  手動シャッター付つまみ
８  雨水浸入防止パネル
９  フィルター
【図１】
0003145325.tif 000003
【図２】
0003145325.tif 000004
【手続補正書】
【提出日】平成20年7月9日(2008.7.9)
【手続補正１】
【補正対象書類名】実用新案登録請求の範囲
【補正対象項目名】全文
【補正方法】変更
【補正の内容】
【実用新案登録請求の範囲】
【請求項１】
窓サッシの換気小窓に組み付けられる給気ユニットであって、室内側に手動シャッターで閉鎖される室内給気口を設けると共に、室外側に防虫網で閉鎖される室外給気口を設け、前記室内給気口と室外給気口との間に隔壁状にフィルターを配したことを特徴とする給気ユニット。
(57)【要約】      （修正有）【課題】音を劣化させることなく、安全防水性のあるエレクトレットマイクロホンカバーを提供する。【解決手段】エレクトレットマイクロホン２の、音の入力部の箇所を水が完全に通過しないこと、また音の空気振動を劣化せずに、音の振動を伝えること、エレクトレットマイクロホンのカバー１に、エレクトレットマイクロホンの音の感知部の対面の厚さを０．５ｍｍ以下することで、エレクトレットマイクロホンの性能を劣化させることなく、完全防水する。また、エレクトレットマイクロホンとエレクトレットマイクロホンのカバーの間に空気室を設ける、合成樹脂等の適宣素材で完全にカバーする。【選択図】図１
0003145323.tif 000002
【実用新案登録請求の範囲】
【請求項１】
エレクトレットマイクロホンのカバーに、エレクトレットマイクロホンの音の感知部の対面を０．５ｍｍ以下することで、エレクトレットマイクロホンの性能を劣化させることなく、完全防水できる、エレクトレットマイクロホンカバー
【請求項２】
エレクトレットマイクロホンのカバーとエレクトレットマイクロホンの音の感知部との間に空気室を設ける、エレクトレットマイクロホンカバー
【考案の詳細な説明】
【技術分野】
【０００１】  本考案は、エレクトレットマイクロホンの防水カバーに関するものである。
【背景技術】
【０００２】  現在のエレクトレットマイクロホンは水に弱い欠点あり、防水性のある布で防水しているが、完全防水ではない。
【考案の開示】
【考案が解決しようとする課題】
【０００３】  エレクトレットマイクロホンは水に弱い欠点があり、完全防水カバーをすることで、この欠点を解決しようする課題とする。
【課題を解決するための手段】
【０００４】本考案はエレクトレットマイクロホンの水に弱い欠点を解決するため、エレクトレットマイクロホンの、音の入力部の箇所を水が完全に通過しないこと、また音の空気振動を劣化せずに、音の振動を伝えること、エレクトレットマイクロホンのカバーに、エレクトレットマイクロホンの音の感知部の対面を０．５ｍｍ以下することで、エレクトレットマイクロホンの性能を劣化させることなく、完全防水ですることでき解決できた、また、エレクトレットマイクロホンとエレクトレットマイクロホンのカバーの間に空気室を設ける、合成樹脂等の適宣素材で完全にカバーするこで、解決するための手段とする。
【考案の効果】
【０００５】  上述の様に、本考案はエレクトレットマイクロホンカバーでエレクトレットマイクロホンを完全に防水できる効果があった。
【考案の実施するための最良の形態】
【０００６】  エレクトレットマイクロホンカバーにエレクトレットマイクロホンの音入力部の上部を音の空気振動をするように薄くし、その間に空気室を設けることで音を劣化することなく、エレクトレットマイクロホンの音の入力出来たので実施するための最良の形態とする。
【実施例】
【０００７】  以下添付図面に従って一実施例を説明する。１は柔軟性のあり、耐久性ある合成樹脂等適が良く振動を伝えるように０．５ｍｍ以下の厚さにすることで、エレクトレットマイクロホンの性能を劣化せずの使用できた【０００８】  ２はエレクトレットマイクロホンである、３はケースでエレクトレットマイクロホンカバーの使用例です。
【図面の簡単な説明】
【０００９】
【図１】本考案のエレクトレットマイクロホンカバーで、エレクトレットマイクロホンを取り付けた一実施例を示す正面図
【図２】本考案のエレクトレットマイクロホンカバーで、エレクトレットマイクロホンとケースに取り付けた一実施例で一部断面正面図
【図３】本考案のエレクトレットマイクロホンカバー上面図
【符号の説明】
【００１０】１  エレクトレットマイクロホンカバー
２  エレクトレットマイクロホン
３  ケース
【図１】
0003145323.tif 000003
【図２】
0003145323.tif 000004
【図３】
0003145323.tif 000005
【手続補正書】
【提出日】平成20年7月29日(2008.7.29)
【手続補正１】
【補正対象書類名】実用新案登録請求の範囲
【補正対象項目名】全文
【補正方法】変更
【補正の内容】
【実用新案登録請求の範囲】
【請求項１】
エレクトレットマイクロホンのカバーにおいて、エレクトレットマイクロホンの音の感知部の対面の厚さを０.５ｍｍ以下にすることで、エレクトレットマイクロホンの性能を劣化させることなく、完全防水できる、エレクトレットマイクロホンカバー。
(57)【要約】【課題】滑らないゴルフグリップを提供する。【解決手段】従来のゴルフグリップの後端に野球のバットと類似のグリップエンドすなわち突起物を設け同形状に左の小指が密着固定されて、滑り止め防止を可能にした。【選択図】図２
0003145327.tif 000002
【実用新案登録請求の範囲】
【請求項１】
従来のゴルフグリップの後端に野球バットと類似のグリップエンド（突起物）を設けたゴルフ用グリップ。
【考案の詳細な説明】
【技術分野】
【０００１】従来のゴルフグリップの後端に野球のバットと類似のグリップエンドを設け、同形状に左の小指を密着固定させれば、滑り止め防止が可能になる。
【背景技術】
【０００２】従来のグリップはグリップエンドがない、すなわち突起物のない形状の為、滑りを止める事が出来なかった。
【考案の開示】
【考案が解決しようとする課題】
【０００３】滑らないゴルフグリップを提供する。
【課題を解決する為の手段】
【０００４】従来のゴルフグリップの後端に野球のバットと類似のグリップエンドすなわち突起物を設け、同形状に左の小指が密着固定されて、滑り止め防止を可能にした。
【考案の効果】
【０００５】・左指に障害や握力の少ない方、又雨の日のプレイに不安な方でも安心してスイングが出来ます。
・従来のグリップで不満のない方でもこのグリップを使用すれば、必要以上にグリップを握り締める必要がない為、手と腕肩の不必要な力が抜けバランスの良いスイングが出来ます。
・以前より左の腕肩、背筋が使えるのでヘッドスピードが増し確実に飛距離が出ます。
【図面の簡単な説明】
【０００６】
【図１】  従来のゴルフグリップと本考案のゴルフグリップの側面の形状を示す図。
【図２】  本考案のゴルフグリップの実施例。
【符号の説明】
【０００７】  １  シャフト
２  グリップ本体
３  グリップエンド部
【図１】
0003145327.tif 000003
【図２】
0003145327.tif 000004
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
ゴルフグリップの後端を野球バットと類似の握りを太くしたゴルフ用グリップ。
【手続補正書】
【提出日】平成20年7月4日(2008.7.4)
【手続補正１】
【補正対象書類名】明細書
【補正対象項目名】全文
【補正方法】変更
【補正の内容】
【考案の詳細な説明】
【技術分野】
【０００１】本考案は、ゴルフグリップの後端に野球のバットと類似の握りを太くしたグリップエンドを設けた、ゴルフのグリップに関するものである。
【背景技術】
【０００２】ゴルフグリップは寸胴の形状の為に、スイング中に握っている手が滑り出すと滑りを止める事が出来ずに手からすっぽ抜ける事があった。
【考案の開示】
【考案が解決しようとする課題】
【０００３】滑らないゴルフグリップを提供する。
【課題を解決する為の手段】
【０００４】ゴルフグリップの後端に野球のバットと類似の握りを太くしたグリップエンドを設け、同形状に左手の小指を密着固定させれば、滑りを止める事が出来る。
【考案の効果】
【０００５】・左指に障害や握力の少ない方、又雨の日のプレイに不安な方でも安心してスイングが出来ます。
・ゴルフグリップで不満のない方でもこのグリップを使用すれば、必要以上にグリップを握り締める必要がない為、手と腕肩の不必要な力が抜けバランスの良いスイングが出来ます。
・以前より左の腕肩、背筋が使えるのでヘッドスピードが増し確実に飛距離が出ます。
【図面の簡単な説明】
【０００６】
【図１】ゴルフグリップと本考案のゴルフグリップの断面の形状を示す図。
【図２】本考案のゴルフグリップの実施例。
【符号の説明】
【０００７】１  シャフト
２  グリップ本体
３  グリップエンド部
【手続補正書】
【提出日】平成20年7月4日(2008.7.4)
【手続補正１】
【補正対象書類名】図面
【補正対象項目名】全図
【補正方法】変更
【補正の内容】
【図１】
0003145327.tif 000005
【図２】
0003145327.tif 000006
(57)【要約】      （修正有）【課題】通信機器のスピーカーマイクに使用する時、ピンプラグからの防水と抜け防止を図った防水及び抜け防止具を提供する。【解決手段】１は柔軟性があり、密着性、耐久性ある合成樹脂等適宣素材で一体化された、ピンプラグの防水と抜け防止具である、ピンプラグの防水と抜け防止具１ａはピンプラグの側面と接しすることで、防水と抜け防止するための形状となる。ピンプラグの防水と抜け防止具１ｂ、１ｃはピンジャックとの接触面で、ピンプラグとピンジャックと一体化でき安定して、ピンジャックの防水と抜け防止ができる。２はピンジャックである、防水と抜け防止具１の１ｂと１ｃに接触面である。これによりピンプラグとピンジャックが一体化され、安定する。３はピンプラグである。上記の防水と抜け防止具１の接触面１ａにより、防水と抜け防止具１とピンプラグとの間で安定して、防水と抜け防止ができた。【選択図】図１
0003145324.tif 000002
【実用新案登録請求の範囲】
【請求項１】
スピーカーやマイクロホン等に使用する、ピンジャックからの水分の進入を防ぐための、ピンジャック防水具
【請求項２】
スピーカーやマイクロホンに使用する、ピンプラグを抜けやすいのを防ぐため、ピンプラグ抜け防止具
【請求項３】
スピーカーやマイクロホンに使用する、ピンジャックに、ピンプラグの引っ張り、曲げ等でピンジャックの接点不良を防止するピンプラグ固定具
【考案の詳細な説明】
【技術分野】
【０００１】  本考案は、ピンジャックの防水具とピンプラグの抜け防止具に関するものである。
【背景技術】
【０００２】  ピンプラグをピンジャックに取り付けた時、防水性はなく、振動等で簡単に抜けることがある。
【考案の開示】
【考案が解決しようとする課題】
【０００３】  ピンジャックからピンプラグは簡単に取り外しが出来き、便利りであるが防水性はなく、抜けやすく、ピンプラグの外圧がピンジャックの接点にかかり、接点不良になる欠点がある、その欠点を、無くすために本考案で解決しようとする課題とする。
【課題を解決するための手段】
【０００４】本考案はピンプラグをピンジャックに取り付けた時、柔軟性があり、密着性、耐久性ある合成樹脂等で、ピンプラグとピンジャックの周囲を覆うことで、ピンプラグの防水と抜けを防止することができたので、解決するための手段とする。
【考案の効果】
【０００５】  上述の様に、本考案は。ピンプラグをピンジャックに取り付けた時、柔軟性があり、密着性、耐久性ある合成樹脂等適宣素材にて、ピンプラグとピンジャックの周囲を一体化で覆うことで、ピンプラグの防水と抜けを防止することができ効果があった。
【考案の実施するための最良の形態】
【０００６】  ピンプラグをピンジャックに取り付けた時、柔軟性があり、密着性、耐久性ある合成樹脂等適宣素材で、ピンプラグとピンジャックの周囲を一体化で覆うことで、ピンプラグの防水と抜けを防止することができた、実施するための最良の形態となった。
【実施例】
【０００７】  以下添付図面に従って一実施例を説明する。１は柔軟性があり、密着性、耐久性ある合成樹脂等適宣素材で一体化された、ピンプラグの防水と抜け防止具である、ピンプラグの防水と抜け防止具１ａはピンプラグの側面と接しすることで、防水と抜け防止するための形状である、ピンプラグの防水と抜け防止具１ｂ、１ｃはピンジャックとの接触面で、ピンプラグとピンジャックと一体化でき安定して、ピンジャックの防水と抜け防止ができる。【０００８】２はピンジャックである、防水と抜け防止具１の１ｂと１ｃに接触面である、これによりピンプラグとピンジャックが一体化され、安定した、３はピンプラグである、上記の防水と抜け防止具１の接触面１ａにより、防水と抜け防止具１とピンプラグとの間で安定して、防水と抜け防止ができた。
【図面の簡単な説明】
【０００９】
【図１】本考案の防水と抜け防止具一実施例を示す正面図
【図２】本考案の防水と抜け防止具一実施例で一部切欠断面側面図
【図３】本考案の防水と抜け防止具上面図
【図３】本考案の防水と抜け防止具上面図
【符号の説明】
【００１０】１  防水と抜け防止具
２  ピンジャック
３  ピンプラグ
【図１】
0003145324.tif 000003
【図２】
0003145324.tif 000004
【図３】
0003145324.tif 000005
【図４】
0003145324.tif 000006
【手続補正書】
【提出日】平成20年7月29日(2008.7.29)
【手続補正１】
【補正対象書類名】実用新案登録請求の範囲
【補正対象項目名】全文
【補正方法】変更
【補正の内容】
【実用新案登録請求の範囲】
【請求項１】
柔軟性があり、密着性もあり、耐久性のある、合成樹脂製の素材で、ピンプラグとピンジャックの接続部分の周囲を被覆して両者を一体化する、防水と抜け防止具。
【手続補正２】
【補正対象書類名】明細書
【補正対象項目名】０００９
【補正方法】変更
【補正の内容】
【０００９】
【図１】本考案の防水と抜け防止具一実施例例を示す正面図
【図２】本考案の防水と抜け防止具一実施例例で一部切欠断側面図
【図３】本考案の防水と抜け防止具上面図
【図４】本考案の防水と抜け防止具底面図
(57)【要約】      （修正有）【課題】風力、水力などの低速回転エネルギーを増速機構を用いることなく、直接低速回転域で発電できる発電機を提供する。【解決手段】回転子に対して３〜１５度ひねり角度を設定し固定子を取り付けることで、磁束切れを改良、改善することでコッキング現象を解消し低速回転域でのスムーズな発電を可能とする。【選択図】図１
0003145329.tif 000002
【実用新案登録請求の範囲】
【請求項１】
本考案は、低速回転エネルギーを利用し増速装置等を使用せずダイレクトに発電するための低速回転発電機仕様とした。従来の低速発電ではコッキング現象が発生するために実用化が困難とされていた。
本件案は、回転子に対して３〜１５度ひねり角度を設定し固定子を取り付け、磁束切れを改良、改善することでコッキング現象を無くした。
また、低速回転で使用するためにベアリング等の部材の消耗が少なく、メンテナンスフリーでの長期使用を可能とした。
【考案の詳細な説明】
【技術分野】
【０００１】  本考案は、風力、水力など低速回転エネルギーをギヤレーション等の増速装置を使用せず低速回転エネルギーをダイレクトに使用し低速回転域での発電を可能とした発電機に関する。
【背景技術】
【０００２】  従来の発電機は、高速回転を必要とするため風力発電、水力発電等はギヤレーション等の増速装置を利用し回転を高速化して発電機を駆動させている。
【提案の開示】
【０００３】
【提案が解決しようとする課題】
【０００４】  従来の発電機は高速回転型が主力で、低速回転ではコッキング現象が発生し低速回転対応型の実用化に難しい問題があった。
【０００５】  回転子に対して３〜１５度ひねり角度を設定し固定子を取り付け、磁束切れを改良、改善することでコッキング現象を解消し低速回転域での発電を可能とした。
【考案の効果】
【０００６】  従来発電機は低速回転域においてコッキング現象が発生するため高速回転発電機が主流となっている。本考案はコッキング現象の発生を解消することで低速回転域からの発電を可能とし。
風力発電等の不定速回転においても増速装置を使用せずにダイレクト発電が可能となる。
【考案を実施するための最良の形態】
【０００７】
【実施例】
【０００８】  インバーターコントロールのモーター使用による本考案の発電機試験において３００回転時出力２，０００ＶＡ、５００回転時出力３，４００ＶＡ、７００回転時出力５，０００ＶＡを発電。
【産業上の利用可能性】
【０００９】  風力発電、水力発電等の高トルクエネルギーを活用し、蓄電池、インバーター、モーター、発電機、コンバーターの組合せによる循環型発電システムを構築し二酸化炭素発生ゼロ電力として利用。また、インフラ整備不要なため、分散型電力、非常災害用電力として。
一般家庭、工場、病院、商業施設等に利用することで地球温暖化防止、化石燃料不要発電機、発電設備として利用が可能。
【図面の簡単な説明】
【００１０】  従来の発電機は、固定子に対し回転子が水平垂直に組み立てられているが、本考案は固定子の巻き線挿入角度を３〜１５度付け回転子を組み立てた。
【図１】  「低速回転発電機の断面を示した、平面図である。」
【図１】
0003145329.tif 000003
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
本考案の発電機は、従来方式の発電機が高速回転であり、低速回転時にコッキング現象が発生するのに対し、固定子の巻線挿入角度を回転子に対し３〜１５度つける構造とすることでコッキング現象を無くし、低速回転域から高速回転域まで発電を可能とした発電機である。
【手続補正２】
【補正対象書類名】明細書
【補正対象項目名】全文
【補正方法】変更
【補正の内容】
【考案の詳細な説明】
【技術分野】
【０００１】  本考案は、風力、水力など低速回転エネルギーをギヤレーション等の増速装置を使用せず低速回転エネルギーをダイレクトに使用し低速回転域での発電を可能とした発電機に関する。（２）
【背景技術】
【０００２】  従来の発電機は、高速回転を必要とするため風力発電、水力発電等はギヤレーション等の増速装置を利用し回転を高速化して発電機を駆動させている。（３）
【提案の開示】
【０００３】
【提案が解決しようとする課題】
【０００４】  従来の発電機は高速回転型が主力で、低速回転ではコッキング現象が発生し低速回転対応型の実用化に難しい問題があった。
【０００５】  回転子に対して３〜１５度ひねり角度を設定し固定子を取り付け、磁束切れを改良、改善することでコッキング現象を解消し低速回転域での発電を可能とした。
【考案の効果】
【０００６】  従来発電機は低速回転域においてコッキング現象が発生するため高速回転発電機が主流となっている。本考案はコッキング現象の発生を解消することで低速回転域からの発電を可能とし、風力発電等の不定速回転においても増速装置を使用せずにダイレクト発電が可能となる。（４）
【考案を実施するための最良の形態】
【０００７】
【実施例】
【０００８】  インバーターコントロールのモーター使用による本考案の発電機試験において３００回転時出力２，０００ＶＡ、５００回転時出力３，４００ＶＡ、７００回転時出力５，０００ＶＡを発電。
【産業上の利用可能性】
【０００９】  風力発電、水力発電等の高トルクエネルギーを活用し、蓄電池、インバーター、モーター、発電機、コンバーターの組合せによる循環型発電システムを構築し二酸化炭素発生ゼロ電力として利用。また、インフラ整備不要なため、分散型電力、非常災害用電力として。一般家庭、工場、病院、商業施設等に利用することで地球温暖化防止、化石燃料不要発電機、発電設備として利用が可能。
【図面の簡単な説明】
【００１０】従来の発電機は、固定子に対し回転子が水平垂直に組み立てられているが、本考案は固定子の巻き線挿入角度を３〜１５度付け回転子を組み立てた。【図１】低速回転発電機の断面を示した、断面立体図である。
【図２】従来型コアと低速発電機コアの比較を示した、平面図である。
【手続補正３】
【補正対象書類名】図面
【補正対象項目名】全図
【補正方法】変更
【補正の内容】
【図１】
0003145329.tif 000004
【図２】
0003145329.tif 000005
(57)【要約】      （修正有）【課題】基材の合成樹脂製シートが薄くても書類を入れた時に変形せず、保管性が高いファイル台紙を提供する。【解決手段】基材の合成樹脂製シートが薄くても立ち並べた時に変形しない手段として、ファイル台紙の背表紙の内側面の左右両折線の直近に３０ｍｍ〜６０ｍｍ巾のファイル台紙の基材である合成樹脂製シートと同素材の合成樹脂製シートを帯状にして、超音波シールなどにより固着する事により薄い基材であっても変形せず立ち並べる事が可能となり、さらに省資源ファイル台紙となる。【選択図】図２
0003145347.tif 000002
【実用新案登録請求の範囲】
【請求項１】
厚み０．７ｍｍ〜１．０ｍｍの薄型合成樹脂製シートによるファイル台紙に同一素材の合成樹脂製シートを帯状体にしてファイル台紙の背表紙内側面の左右両端にそれぞれ固着することを特徴としたファイル台紙。
【請求項２】
ファイル表紙に固着する帯状体の巾を３０ｍｍ〜６０ｍｍとし、高さはファイル台紙と同等とする請求項１記載のファイル台紙。
【請求項５】
ファイル台紙に帯状体を超音波シールにて固着することを特徴とする請求項１記載のファイル台紙。
【請求項４】
ファイル台紙に帯状体を感圧接着剤にて固着することを特徴とする請求項１記載のファイル台紙。
【考案の詳細な説明】
【技術分野】
【０００１】本考案は省資源なファイル台紙に関する。
【背景技術】
【０００２】従来家庭や職場において使用されている合成樹脂製のファイルの台紙は、全体が１ｍｍ以上であるのが一般的である。これは、ファイルに書類などを収納して立ち並べた時にファイル台紙が変形しうまく立たせる事が困難であるからである。
【考案が解決しようとする課題】
【０００３】省資源であり、ファイル台紙の基材が薄くても変形せず保管性の良いファイル台紙を提供する事を目的とする。
【課題を解決するための手段】
【０００４】本考案のファイル台紙は、基材の合成樹脂製シートが薄くても立ち並べた時に変形しない手段として、ファイル台紙の背表紙の内側面の左右両折線の直近に３０ｍｍ〜６０ｍｍ巾のファイル台紙の基材である合成樹脂製シートと同素材の合成樹脂製シートを帯状にして、超音波シールなどにより固着する事により薄い基材であっても変形せず立ち並べる事が可能となる。
【考案の効果】
【０００５】本考案は、基材のファイル台紙と同素材の合成樹脂製シートを帯状にして、ファイル台紙の背表紙の内側面の両左右折線の直近に超音波シールなどにより固着することにより背表紙の両側に腰ができ、全体の厚みが薄くても変形せずに立ち並べることが可能となる。これにより、従来のファイル台紙よりも省資源の地球に優しいファイル台紙となる。
【実施例】
【０００６】本考案のファイル台紙は、図１に示される様に、ファイル台紙の左右両折線の直近に同素材の合成樹脂製シート（３）を（４）のように超音波シールなどにより固着する。
【図面の簡単な説明】
【０００７】
【図１】本考案におけるファイル台紙の正面図である。左右両折線の直近に同素材の合成樹脂製シートを超音波シールなどにより固着している。
【図２】ファイル台紙の折線を折り曲げた様子を示す正面図である。
【図３】本考案におけるファイル台紙の平面図である。
【符号の説明】
【０００８】１  ファイル台紙本体
２  折線
３  補強帯
４  超音波シール部
５  背表紙面
【図１】
0003145347.tif 000003
【図２】
0003145347.tif 000004
【図３】
0003145347.tif 000005
【手続補正書】
【提出日】平成20年8月4日(2008.8.4)
【手続補正１】
【補正対象書類名】実用新案登録請求の範囲
【補正対象項目名】全文
【補正方法】変更
【補正の内容】
【実用新案登録請求の範囲】
【請求項１】
厚み０．７ｍｍ〜１．０ｍｍの薄型合成樹脂製シートによるファイル台紙に同一素材の合成樹脂製シートを帯状体にしてファイル台紙の背表紙内側面の左右両端にそれぞれ固着することを特徴としたファイル台紙。
【請求項２】
ファイル表紙に固着する帯状体の巾を３０ｍｍ〜６０ｍｍとし、高さはファイル台紙と同等とする請求項１記載のファイル台紙。
【請求項３】
ファイル台紙に帯状体を超音波シールにて固着することを特徴とする請求項１記載のファイル台紙。
【請求項４】
ファイル台紙に帯状体を感圧接着剤にて固着することを特徴とする請求項１記載のファイル台紙。
(57)【要約】      （修正有）【課題】使用の際に手がふさがることのない携帯電話の保持用具を提供する。【解決手段】肩に載せることが可能である湾曲部と、これに連結して首のうしろを迂回して胸前に一方の端が達することが可能な構造を有する基礎体の、適切な位置にポケットを付加してなる携帯電話器の保持用具である。基礎体の材料としては金属でもプラスティック材でも構わないが、プラスティック材によれば安価で大量に作ることができる。【選択図】図４
0003145341.tif 000002
【実用新案登録請求の範囲】
【請求項１】
肩に載せることができ、さらに首を迂回して装着することが可能な基礎体の、適切な位置にポケットを付加してなる携帯電話器の保持用具。
【考案の詳細な説明】
【技術分野】
【０００１】この考案は携帯電話器を保持するためのものである。
【背景技術】
【０００２】携帯電話器を洋服ポケットの中に収納するかわりに新規な携帯電話器の保持用ポケットを提供しようとするものである。
【考案の開示】
【考案が解決しようとする課題】
【０００３】ハンズフリーで使用ができる携帯電話器の保持用具を提供したい。
【課題を解決するための手段】
【０００４】肩に載せることができ、さらに首を迂回して装着が可能な基礎体の、適切な位置に携帯電話器の保持用ポケットを設置することによって解決を図る。
【考案の効果】
【０００５】ハンズフリーで携帯電話器の使用ができる。
【考案を実施するための最良の形態】
【０００６】基礎体の材料としては金属であってもプラスティック材であってもかまわないがプラスティック材によればうんと安価で数量も大量に作ることができる。
【実施例】
【０００７】針金を使用すれば適当な弾性を得る事ができ、使用感も良好であるが重量の関係で薄いプラステイック材でも可能である。
【産業上の利用可能性】
【０００８】使い勝手が良く有意義である。
【図面の簡単な説明】
【０００９】
【図１】本考案の平面図
【図２】本考案の正面図
【図３】本考案の側面図
【図４】本考案の斜視図
【符号の説明】
１  基礎体          ２  携帯電話器保持用のポケット
【図１】
0003145341.tif 000003
【図２】
0003145341.tif 000004
【図３】
0003145341.tif 000005
【図４】
0003145341.tif 000006
【手続補正書】
【提出日】平成20年7月7日(2008.7.7)
【手続補正１】
【補正対象書類名】実用新案登録請求の範囲
【補正対象項目名】全文
【補正方法】変更
【補正の内容】
【実用新案登録請求の範囲】
【請求項１】
肩に載せることが可能である湾曲部とこれに連結して首のうしろを迂回して胸前に一方の端が達することが可能な構造を有する基礎体の、適切な位置にポケットを付加してなる携帯電話器の保持用具。